(57)【要約】【課題】  ニットウエアの形状自体を大きくすることなく、脇下部分に空間的なゆとりが得られるようにした無縫製ニットウエアを提供することである。【解決手段】  身ごろ部と袖部とが袖付部で接合される無縫製ニットウエアにおいて、  前記袖付部の脇接ポイント２３には前記身ごろ部の胴部２１の上端２５ａから上方に編み足した第１編み足し部２６と、前記袖部の袖下部２２の上端２７ａから上方に編み足した第２編み足し部２８とが形成され、これら第１編み足し部２６及び第２編み足し部２８を介して前記胴部２１及び袖下部２２を前記脇接ポイント２３で接合した。【選択図】      図２
2006322080.tif 000002
【特許請求の範囲】
【請求項１】
身ごろ部と袖部とが袖付部で接合される無縫製ニットウエアにおいて、
前記袖付部の脇接ポイントには前記身ごろ部の胴部の上端から上方に編み足した第１編み足し部と、前記袖部の袖下部の上端から上方に編み足した第２編み足し部とが形成され、これら第１編み足し部及び第２編み足し部を介して前記胴部及び袖下部を脇接ポイントで接合したことを特徴とする無縫製ニットウエア。
【請求項２】
前記第１編み足し部は前記身ごろ部の身幅を増すことなく形成され、前記第２編み足し部は前記袖部の袖幅を増やすことなく形成される請求項１記載の無縫製ニットウエア。
【請求項３】
前記第１編み足し部及び第２編み足し部がそれぞれ略三角形状に形成され、それぞれの編み足し部の頂部が接合される請求項１又は２記載の無縫製ニットウエア。
【発明の詳細な説明】
【技術分野】
【０００１】
本発明は、身ごろ部と袖部とが袖付部で接合される無縫製ニットウエアにおいて、前記袖付部の脇下部分に空間的なゆとりを持たせるようにした無縫製ニットウエアに関する。
【背景技術】
【０００２】
一般に、編み機を使って無縫製ニットウエアを製造する場合は、別々のニードルで身ごろ部の胴部と袖部の袖下部とをそれぞれ筒状に形成したのち袖付部の脇接ポイントで両者を接合し、その後は共通のニードルで周回状に編成して身ごろ部のヨーク部と袖上部とを形成する。図７は、無縫製ニットウエアの一般的な製造方法を示したものである。この方法では、筒状に形成した身ごろ部の胴部１と袖下部２とを脇接ポイント３で接合したのち、一本のニードルで周回状に編成して身ごろ部のヨーク部４と袖上部５を筒状に形成し、最後に襟ぐり６を仕上げて完成させる。ラグラン袖の場合、袖付部としての袖付ライン７は身ごろ部の上部４と袖上部５とを周回状に編成する際に形成される。
【０００３】
しかしながら、上記のようにして製造された無縫製ニットウエアにあっては、身ごろ部の胴部１と袖下部２とをそれぞれ筒状に編成した後に、胴部１の上端１ａと袖下部２の上端２ａとを脇接ポイント３で直接接合してしまうために、脇接ポイント３の下方に位置する脇下部分に空間的なゆとりができない。そのために、腕を上げた時や腕を大きく動かした時に脇下部分が窮屈に感じられニットウエアの着心地が悪くなるといった問題があった。
【０００４】
図８に示した従来例は、上記の問題点を解決した無縫製ニットウエアの一例であり、それぞれ筒状に形成された身ごろ部の胴部１０と袖下部１１とを接合する際、胴部部１０の上端１２および袖下部１１の上端１３にそれぞれ設けたマチ部１４，１５同士を接合することで、脇接ポイント１６に空間的なゆとりを持たせるようにしたものである（特許文献１参照）。
【０００５】
しかしながら、上記従来のニットウエアにあっては、マチ部１４，１５を設けるために胴部１０の身幅や袖下部１１の袖幅も一緒に増加させることになる。即ち、図８に斜線で示したように、胴部１０の左右両側には前記マチ部１４と略同一幅の身幅割増部１７を形成する一方、袖下部１１の内側にも前記マチ部１５と略同一幅の袖幅割増部１８を形成しているために、ニットウエア自体が大きくなってしまい、着用したときにだぶ付いてフット感が出ない等の問題があった。
【特許文献１】国際公開第０１／８８２４３号パンフレット
【発明の開示】
【発明が解決しようとする課題】
【０００６】
そこで、本発明の目的は、ニットウエアの形状自体を大きくすることなく、脇下部分に空間的なゆとりが得られるようにした無縫製ニットウエアを提供することである。
【課題を解決するための手段】
【０００７】
上記課題を解決するために、本発明に係る無縫製ニットウエアは、身ごろ部と袖部とが袖付部で接合される無縫製ニットウエアにおいて、前記袖付部の脇接ポイントには前記身ごろ部の胴部の上端から上方に編み足した第１編み足し部と、前記袖部の袖下部の上端から上方に編み足した第２編み足し部とが形成され、これら第１編み足し部及び第２編み足し部を介して前記胴部及び袖下部を脇接ポイントで接合したことを特徴とする。
この発明で脇接ポイントとは、それぞれ筒状に形成された身ごろ部の胴部と袖下部とを接合する際の、袖付部の脇下部分の接合箇所をいう。
【発明の効果】
【０００８】
本発明に係る無縫製ニットウエアでは、身ごろ部の胴部の上端に形成した第１編み足し部と袖下部の上端に形成した第２編み足し部とを介して身ごろ部と袖部とを接合するようにしたので、脇下部分に空間的なゆとりができる。また、前記第１編み足し部が前記身ごろ部の身幅を増やすことなく形成され、前記第２編み足し部が前記袖部の袖幅を増やすことなく形成されるので、ニットウエアの形状自体は大きさが変わらない。そのため、ニットウエアを着用した時のフィット感が損なわれない。
【発明を実施するための最良の形態】
【０００９】
以下、添付図面に基づいて本発明に係る無縫製ニットウエアの実施形態を詳細に説明する。図１乃至図６に示される実施形態は、本発明に係る無縫製ニットウエアをラグラン袖のインナーウエアとして製造した時の例を示したものである。この実施形態に係るインナーウエア２０は、図１及び図２に示されるように、まず別々のニードルによって身ごろ部の胴部２１と左右一対の袖下部２２とをそれぞれ筒状に形成し、両者の袖付部となる脇接ポイント２３で両者を接合させたのち、共通のニードルによって身ごろ部のヨーク部４０と袖上部４１とを周回状に編成し、最後に襟ぐり４２を仕上げて完成させる。また、ヨーク部４０と袖上部４１とを周回状に編成する際、ラグラン袖の袖付部としての袖付ライン４３が同時に形成される。このインナーウエア２０は、胴部２１とヨーク部４０とで身ごろ部が構成され、袖下部２２と袖上部４１とで袖部が構成されている。
【００１０】
この実施形態において、身ごろ部の胴部２１は、周回状に編成されることで前身ごろ２１ａと後身ごろ２１ｂとが筒状に形成され、その左右両側部２５の上端２５ａに第１編み足し部２６が形成される。この第１編み足し部２６は、胴部２１を周回状に編成した後、引き続いて左右両側部２５の上端２５ａに編み足されたものである。即ち、胴部２１を周回状に編成する際には左右両側部２５の身幅を増すことなく前身ごろ２１ａと後身ごろ２１ｂとをメリヤス編みで通常に編成し、左右両側部２５の上端２５ａの位置でそこから上方に略三角形状に編み足されることで第１編み足し部２６が形成される。図３及び図４においてニードルの動きを矢印で示したように、左右両側部２５の上端２５ａから前身ごろ２１ａ側と後身ごろ２１ｂ側との間に跨って往復編みを繰り返しながら編み目の数を次第に減らして略三角形状に編み足された第１編み足し部２６が形成される。
【００１１】
一方、インナーウエア２０の左右の袖下部２２は、図１及び図２に示されるように、前記身ごろ部の胴部２１と同様筒状に形成され、筒状に形成された袖下部２２の内側部２７の上端２７ａに第２編み足し部２８が形成される。この第２編み足し部２８は、袖下部２２を周回状に編成した後、引き続いて内側部２７の上端２７ａに編み足されたものである。即ち、袖下部２２の内側部２７の袖幅を増すことなくメリヤス編みで通常に編成し、内側部２７の上端２７ａの位置でそこから上方向に略三角形状に編み足されることで前記第１編み足し部２６と同様の第２編み足し部２８が形成される。図３及び図４において、ニードルの動きを矢印で示したように、内側部２７の上端２７ａから左右に往復編みを繰り返しながら編み目の数を次第に減らし略三角形状に編み足された第２編み足し部２８が形成される。なお、上記第１編み足し部２６及び第２編み足し部２８の大きさや形状などは、インナーウエアのサイズや脇下部分に設けるゆとりの程度などによって適宜変更することができる。
【００１２】
上記の胴部２１及び袖下部２２は、図１に示されたように、別々のニードルによってそれぞれ筒状に形成されたのち、図２に示したように、胴部２１の左右両側部２５の上端２５ａと袖下部２２の内側部２７の上端２７ａとが脇接ポイント２３で接合されるが、この実施形態では前述したように、胴部２１の上端２５ａと袖下部２２の上端２７ａとが第１編み足し部２６と第２編み足部２８を介して接合されることになる。具体的には図４に示したように、第１編み足し部２６の頂部２６ａの編み目と第２編み足部２８の頂部２８ａの編み目を閉じることで接合される。その後は共通のニードルで第１編み足し部２６及び第２編み足部２８から編み目を立ち上げて、身ごろ部のヨーク部４０と袖上部４１とを周回状に編成して筒状に仕上げる。このように、胴部２１の上端２５ａと袖下部２２の上端２７ａとを脇接ポイント２３で直接接合することなく、第１編み足し部２６と第２編み足部２８とを介在させているので、図６に示したように、脇接ポイント２３の下方、即ち脇下部分に空間的なゆとりが生まれることになる。
【００１３】
前記第１編み足し部２６及び第２編み足部２８がいずれも略三角形状に形成されることから、両者の接合部分には、図４に示されるように、左右側に略三角形状の空所３０ａ，３０ｂができる。しかし、この空所３０ａ，３０ｂは、図５に示したように、編み足し部２６，２８の端にある各編み目（Ａ，Ｂ，Ｃ・・・）からヨーク部４０及び袖上部４１の各編み目（Ａ’，Ｂ’，Ｃ’・・・）を立ち上げ、ヨーク部４０及び袖上部４１を周回状に編成することで満たされる。なお、胴部２１の上端及び袖下部２２の上端では前記第１編み足し部２６及び第２編み足し部２８以外の上端部分の各編み目（ｋ，ｌ，ｍ・・・）からもヨーク部４０及び袖上部４１に対応する編み目（ｋ’，ｌ’，ｍ’・・・）を立ち上げることでヨーク部４０及び袖上部４１が周回状に編成される。
【００１４】
本発明では脇接ポイント２３が上記のような接合構造を有することで、図６に示したように脇接ポイント２３の下方の脇下部分に空間的なゆとりができることになり、腕を上げたり大きく動かしても、その動きに余裕ができるために、脇下部分が窮屈に感じられない。一方、前記身ごろ部の胴部２１は、第１編み足し部２６を形成する際に左右両側部２５の身幅を増やす必要がなく、また前記袖下部２２も内側部２７の袖幅を増やす必要がないので、インナーウエア２０の形状や大きさが両編み足し部２６，２８を形成したことによって変わるものではなく、結果的にインナーウエア２０を着用した時のフィット感が損なわれることがない。
【００１５】
次に、上記インナーウエア２０の製造方法を説明する。この種の無縫製インナーウエア２０は、例えばニット横編み機によって製造することができ、身ごろ部の胴部２１及び袖下部２２がそれぞれ分離した状態で編成される。具体的には胴部２１は下端部から編み始め、一方袖下部２２は袖口から編み始める。胴部２１は下端部から周回状に編成して前身ごろ２１ａと後身ごろ２１ｂを筒状に形成する。一方、袖下部２２の方も袖口の方から周回状に編成して筒状に形成する。ここまでの編成工程は従来と変わるところがなく、胴部２１の上端までと袖下部２２の上端までをそれぞれメリヤス編みによって編成する。
【００１６】
本発明の特徴はこの後の編成工程にある。この編成工程は、袖付部の脇接ポイント２３に前記第１編み足し部２６及び第２編み足し部２８を形成する工程であり、図３及び図４に示したように、前記胴部２１の左右両側部２５の上端２５ａおよび袖下部２２の内側部２７の上端２７ａに、略三角形状の第１編み足し部２６と第２編み足し部２８をそれぞれ編み足す。この工程は同時進行で行われるのが好ましい。第１編み足し部２６は、前記胴部２１の上端２５ａの位置から左右方向の往復編みをしながら三角形状に形成され、前記第２編み出し部２８も第１編み足し部２６と同様の手段で三角形状に形成される。次に、これら編み足された第１編み足し部２６及び第２編み足し部２８の各頂部２６ａ，２８ａを閉じることによって、分離した状態で編成されてきた胴部２１と袖下部２２とが脇接ポイント２３で接合される。
【００１７】
前記編成工程において、身ごろ部の胴部２１と袖下部２２とを袖付部の脇接ポイント２３で接合した後は、身ごろ部のヨーク部４０及び袖部の袖上部４１の編成工程に移る。この編成工程は従来と同様の周回状の編成となるが、前記編成工程において第１編み足し部２６と第２編み足し部２８とが脇接ポイント２３で接合された後、共通のニードルによって周回編みされるので、前記第１編み足し部２６及び第２編み足し部２８から編み目を立ち上げることによって、ヨーク部４０及び袖上部４１の周回編みが開始される。ヨーク部４０及び袖上部４１を周回状に編成する際にラグラン袖の袖付部としての袖付ライン４３が同時に形成されることになる。最後にヨーク部４０の襟ぐり４２をかがり編みすることによって無縫製のインナーウエア２０の製造が完了する。このようにして、本発明では胴部２１及び袖下部２２とヨーク部４０及び袖上部４１とが脇接ポイント２３に形成された第１編み足し部２６及び第２編み足し部２８を介して連続的に編成されるので、身ごろ部と袖部との一体感が出せると共に、脇下部分に空間的なゆとりのあるインナーウエア２０が完成することになる。
【００１８】
上記の実施形態ではラグラン袖のインナーウエアについて説明したが、本発明を付袖のニットウエアに適用できること勿論である。この場合は上記の袖下部のみによって付袖の袖部が構成されるので、胴部と袖下部とを脇接ポイントで第１編み足し部及び第２編み足し部を介して接合した後は身ごろ部のヨーク部のみを編成することになる。また、本発明に係る無縫製ニットウエアは、インナーウエアのみならずカーディガンやセーターなどのアウターウエアにも適用されること勿論であり、また、カーディガンのように、前開きで襟のないウエアにも適用されるものである。
【図面の簡単な説明】
【００１９】
【図１】本発明において、胴部の上端に形成される第１編み足し部と、袖下部の上端に形成される第２編み足し部の位置をそれぞれ示す無縫製ニットウエアの正面図である。
【図２】図１において、第１編み足し部と第２編み足し部とを脇接ポイントで接合した時の無縫製ニットウエアの正面図である。
【図３】図２のＡ部拡大図である。
【図４】図３における第１編み足し部及び第２編み足し部を編み目によって具体的に示した説明図である。
【図５】前記第１編み足し部及び第２編み足し部からヨーク部及び袖上部の編み目が立ち上げられる工程を示す説明図である。
【図６】脇接ポイントに対応する脇下部分に空間的なゆとりが形成された本発明の無縫製ニットウエアの正面図である。
【図７】従来における袖付部の脇接ポイントでの接合状態の一例を示す無縫製ニットウエアの正面図である。
【図８】従来における袖付部の接合状態の他の例を示す無縫製ニットウエアの正面図である。
【符号の説明】
【００２０】
２０  インナーウエア（無縫製ニットウエア）
２１  身ごろ部の胴部
２２  袖下部
２３  脇接ポイント
２５  胴部の左右両側部
２５ａ  胴部の上端
２６  第１編み足し部
２６ａ  頂部
２７  袖下部の内側部
２７ａ  袖下部の上端
２８  第２編み足し部
２８ａ  頂部
４０  ヨーク部
４１  袖上部
４２  襟ぐり
４３  袖付ライン
【図１】
2006322080.tif 000003
【図２】
2006322080.tif 000004
【図３】
2006322080.tif 000005
【図４】
2006322080.tif 000006
【図５】
2006322080.tif 000007
【図６】
2006322080.tif 000008
【図７】
2006322080.tif 000009
【図８】
2006322080.tif 000010
【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
身ごろ部と袖部とが袖付部で接合される無縫製ニットウエアにおいて、
前記袖付部の脇接ポイントには前記身ごろ部の胴部の上端から身ごろ部の身幅を増すことなく上方に編み足した第１編み足し部と、前記袖部の袖下部の上端から袖部の袖幅を増やすことなく上方に編み足した第２編み足し部とが形成され、これら第１編み足し部及び第２編み足し部を介して前記胴部及び袖下部を脇接ポイントで接合したことを特徴とする無縫製ニットウエア。
【請求項２】
前記第１編み足し部及び第２編み足し部がそれぞれ略三角形状に形成され、それぞれの編み足し部の頂部が接合される請求項１記載の無縫製ニットウエア。
【手続補正２】
【補正対象書類名】明細書
【補正対象項目名】０００７
【補正方法】変更
【補正の内容】
【０００７】
上記課題を解決するために、本発明に係る無縫製ニットウエアは、身ごろ部と袖部とが袖付部で接合される無縫製ニットウエアにおいて、前記袖付部の脇接ポイントには前記身ごろ部の胴部の上端から身ごろ部の身幅を増すことなく上方に編み足した第１編み足し部と、前記袖部の袖下部の上端から袖部の袖幅を増やすことなく上方に編み足した第２編み足し部とが形成され、これら第１編み足し部及び第２編み足し部を介して前記胴部及び袖下部を脇接ポイントで接合したことを特徴とする。この発明で脇接ポイントとは、それぞれ筒状に形成された身ごろ部の胴部と袖下部とを接合する際の、袖付部の脇下部分の接合箇所をいう。
【手続補正書】
【提出日】平成18年6月22日(2006.6.22)
【手続補正１】
【補正対象書類名】特許請求の範囲
【補正対象項目名】全文
【補正方法】変更
【補正の内容】
【特許請求の範囲】
【請求項１】
身ごろ部と袖部とが袖付部で接合される無縫製ニットウエアにおいて、
前記袖付部の脇接ポイントには前記身ごろ部の胴部の左右両側部上端から編み目の数を次第に減らして略三角形状に編み足された第１編み足し部と、前記袖部の袖下部の内側部の上端に編み目の数を次第に減らして略三角形状に編み足された第２編み足し部とが形成され、これら第１編み足し部及び第２編み足し部を介して前記胴部及び袖下部を脇接ポイントで接合したことを特徴とする無縫製ニットウエア。
【請求項２】
前記第１編み足し部及び第２編み足し部は、それぞれに編み足された略三角形状の頂部が接合される請求項１記載の無縫製ニットウエア。
【手続補正２】
【補正対象書類名】明細書
【補正対象項目名】０００７
【補正方法】変更
【補正の内容】
【０００７】
上記課題を解決するために、本発明に係る無縫製ニットウエアは、身ごろ部と袖部とが袖付部で接合される無縫製ニットウエアにおいて、前記袖付部の脇接ポイントには前記身ごろ部の胴部の左右両側部上端から編み目の数を次第に減らして略三角形状に編み足された第１編み足し部と、前記袖部の袖下部の内側部の上端に編み目の数を次第に減らして略三角形状に編み足された第２編み足し部とが形成され、これら第１編み足し部及び第２編み足し部を介して前記胴部及び袖下部を脇接ポイントで接合したことを特徴とする。この発明で脇接ポイントとは、それぞれ筒状に形成された身ごろ部の胴部と袖下部とを接合する際の、袖付部の脇下部分の接合箇所をいう。